(57)【特許請求の範囲】
【請求項１】
電界効果トランジスタ及び検出電極を有し、前記電界効果トランジスタのゲート電極は前記検出電極と電気的に接続し、前記検出電極表面にはピリジン金属錯体がスルフィド基で固定されていることを特徴とするエタノールアミンリン酸センサ。
【請求項２】
前記ピリジン金属錯体は、（化１）又は（化２）で表されるピリジン金属錯体であることを特徴とする、請求項１記載のエタノールアミンリン酸センサ。
【化１】
0006544571.tif 000008
（式中、Ｘはアルキル基、エーテル基、又は芳香環、Ｙは水素、ハロゲン元素、アルキル基、又は芳香環、Ｍｎ＋は金属イオンである。）
【化２】
0006544571.tif 000009
（式中、Ｘはアルキル基、エーテル基、又は芳香環、Ｙは水素、ハロゲン元素、アルキル基、又は芳香環、Ｍｎ＋は金属イオンである。）
【請求項３】
前記ピリジン金属錯体は、（化３）乃至（化６）で表されるピリジン金属錯体であることを特徴とする、請求項２記載のエタノールアミンリン酸センサ。
【化３】
0006544571.tif 000010
（式中、Ｘは１以上の整数、Ｙは０又は１以上の整数、Ｍｎ＋は金属イオンである。）
【化４】
0006544571.tif 000011
（式中、Ｘ、Ｙは１以上の整数、Ｍｎ＋は金属イオンである。）
【化５】
0006544571.tif 000012
（式中、Ｘは１以上の整数、Ｙは０又は１以上の整数、Ｍｎ＋は金属イオンである。）
【化６】
0006544571.tif 000013
（式中、Ｘ、Ｙは１以上の整数、Ｍｎ＋は金属イオンである。）
【請求項４】
電界効果トランジスタ及び検出電極を有し、前記検出電極は、基板上に金、銀、白金、又は銅の金属薄膜を形成し、前記金属薄膜上にピリジン金属錯体がスルフィド基で固定する自己組織化単分子膜処理を行うことを特徴とするエタノールアミンリン酸センサの製造方法。
【請求項５】
前記ピリジン金属錯体は、（化１）又は（化２）に記載のピリジン金属錯体であることを特徴とする、請求項４に記載のエタノールアミンリン酸センサの製造方法。
【請求項６】
前記ピリジン金属錯体は、（化３）乃至（化６）に記載のピリジン金属錯体であることを特徴とする、請求項５に記載のエタノールアミンリン酸センサの製造方法。
【発明の詳細な説明】
【技術分野】
【０００１】
本発明は、配位結合を利用してエタノールアミンリン酸を検出するセンサであり、特に、うつ病診断の目安に好適に適用することができるエタノールアミンリン酸センサに関する。
【背景技術】
【０００２】
気分障害の一種として知られるうつ病に罹患する人数は増加傾向にある。厚労省社会援護局の地域・職域連携関係者会議における報告によれば、１９９８年には２０万７０００人だったのに対し、２００８年には７０万４０００人に増加、更にその潜在患者数は２５０万人を超えている。うつ病の診断は、客観的な判断が難しく、現在は患者自身の申告や医師の主観によるところが大きい。従って、うつ病を客観的に診断する技術は確立されていない。このような背景のもと、客観的な診断をおこなうためにうつ病診断バイオマーカーの探索がおこなわれており、そのひとつとしてエタノールアミンリン酸が報告されている。
【０００３】
うつ病マーカーとして報告されたエタノールアミンリン酸の検出法として、質量分析装置（非特許文献１）を用いる手法が知られている。また、簡便に測定するキットとして酵素反応を用いるものが報告されている（特許文献１）
【先行技術文献】
【特許文献】
【０００４】
【特許文献１】国際公開第２０１３／０６９６４５号
【非特許文献】
【０００５】
【非特許文献１】Shin  Nishiumi,  et  al.,  ＰＬｏＳ  ＯＮＥ  ７，  ｅ４０４５９(２００９)
【発明の概要】
【発明が解決しようとする課題】
【０００６】
しかしながら、非特許文献１に記載の質量分析装置によるエタノールアミンリン酸の検出は高価な測定機器が必要であり、更にその使用にはトレーニングが必要であるため、誰でも簡単にエタノールアミンリン酸が検出できるとは言いがたい。また、特許文献１に記載の酵素を用いる手法は、酵素が生体由来材料であるために、化学的・熱的に不安定であり、長期保管や使用には難があるだけでなく、コストもかかりやすい。したがって、エタノールアミンリン酸のモニタリングを簡便に行うために、大型の分析装置によらずに容易で、また化学的・熱的に安定かつ安価な人工材料で構成された検出法が求められている。
【０００７】
本発明は、上記課題を解決するためになされたものであり、エタノールアミンリン酸を簡便に電気的に検出することができ、かつ、装置を安価かつ容易に作製することができるエタノールアミンリン酸センサを提供することを課題とする。
【課題を解決するための手段】
【０００８】
本発明に係るエタノールアミンリン酸センサは、ピリジン金属錯体を金属の検出電極上に修飾していることを特徴とする。ピリジン金属錯体とエタノールアミンリン酸との間で生じる配位結合によりエタノールアミンリン酸を捕捉し、それに伴うトランジスタ特性の変化から、エタノールアミンリン酸を検出することができる。
【０００９】
具体的に本発明のエタノールアミンリン酸センサは、電界効果トランジスタ及び検出電極を有し、電界効果トランジスタのゲート電極は検出電極と電気的に接続している。そして、当該検出電極表面にはピリジン金属錯体がスルフィド基で固定されていることを特徴とする。
【００１０】
本発明のエタノールアミンリン酸センサにおいて、エタノールアミンリン酸を補足するピリジン金属錯体は、（化１）又は（化２）で表されるピリジン錯体であることを特徴とする。
【００１１】
【化１】
0006544571.tif 000002
【００１２】
【化２】
0006544571.tif 000003
【００１３】
さらに、本発明の好ましい形態として、前記ピリジン錯体は、（化３）から（化６）で表されるピリジン金属錯体であることを特徴とする。
【００１４】
【化３】
0006544571.tif 000004
【００１５】
【化４】
0006544571.tif 000005
【００１６】
【化５】
0006544571.tif 000006
【００１７】
【化６】
0006544571.tif 000007
【００１８】
（化１）において、Ｘはアルキル基、エーテル基、又は芳香環、Ｙは水素、ハロゲン元素、アルキル基、又は芳香環、Ｍｎ＋は金属イオンであり、（化２）において、Ｘはアルキル基、エーテル基、又は芳香環、Ｙは水素、ハロゲン元素、アルキル基、又は芳香環、Ｍｎ＋は金属イオンである。（化３）及び（化５）において、Ｘは１以上の整数、Ｙは０又は１以上の整数、Ｍｎ＋は金属イオンであり、（化４）及び（化６）において、Ｘ、Ｙは１以上の整数、Ｍｎ＋は金属イオンである。
【００１９】
上記のようなジピコリルアミン金属錯体又はターピリジン金属錯体は、エタノールアミンリン酸と配位結合を構成する上で好適な化合物であるため、本発明のエタノールアミンリン酸センサは、ジピコリルアミン金属錯体又はターピリジン金属錯体にエタノールアミンリン酸が結合して生じる、しきい値電圧又はドレイン電流値の変化を計測することにより、エタノールアミンリン酸を検出することができる。このようなセンサによれば、安定的かつ簡便に検出対象物質のモニタリングを行うことができる。
【００２０】
また、本発明のエタノールアミンリン酸センサが有する検出電極は、基板上に金、銀、白金、又は銅の金属薄膜を形成し、前記金属薄膜上にピリジン金属錯体がスルフィド基で固定する自己組織化単分子膜処理を行うことで製造することを特徴とする。
【００２１】
さらに、検出電極上に固定するピリジン金属錯体は、（化１）又は（化２）で表されるピリジン錯体を用い、中でも（化４）から（化６）に記載のピリジン金属錯体であることを特徴とする。
【発明の効果】
【００２２】
本発明によれば、標的物質であるエタノールアミンリン酸を簡便に検出することができるエタノールアミンリン酸センサが提供される。したがって、本発明に係るセンサは、うつ病のバイオマーカーとして報告されているエタノールアミンリン酸のモニタリングにも好適に適用することができ、特に、うつ病診断の目安において有用である。
【図面の簡単な説明】
【００２３】
【図１】本発明のエタノールアミンリン酸センサの一例を示す概略断面図である。
【図２】本発明のエタノールアミンリン酸センサの検出電極（延長ゲート）の概略を示した模式図である。
【図３】エタノールアミンリン酸添加におけるドレイン電圧とドレイン電流の絶対値との関係を示したグラフである。
【図４】ドレイン電流の変化量とエタノールアミンリン酸の添加モル濃度との関係を示したグラフである。
【発明を実施するための形態】
【００２４】
本発明に係るエタノールアミンリン酸センサは、検出電極にジピコリルアミン金属錯体又はターピリジン金属錯体による配位結合が用いられていることを特徴とするものである。
【００２５】
具体的には、センサの検出電極は、前記（化１）又は（化２）で表されるピリジン錯体が、スルフィド基で電極金属表面に固定されている構成からなるものを用いる。さらに好ましい形態として、当該ピリジン錯体として具体的には（化３）から（化６）で表されるピリジン錯体を用いる。すなわち、本発明に係るセンサは、トランジスタのゲート電極に連結された検出電極である延長ゲートの金属表面にピリジン金属錯体が固定されているものである。
【００２６】
前記ピリジン金属錯体は、スルフィド基を介して、検出電極の金属表面に化学吸着により固定された状態となっている。例えば、電極金属表面をチオール化させたピリジン金属錯体を用いて自己組織化単分子膜処理（ＳＡＭ処理）を施すことにより、電極金属表面にピリジン金属錯体を固定させた状態とすることができる。このようなピリジン金属錯体は、エタノールアミンリン酸と結合しやすい。また、電極金属表面に固定されたピリジン金属錯体は、化学的に安定である。
【００２７】
したがって、前記センサは、前記ピリジン金属錯体に、エタノールアミンリン酸が結合して生じるしきい値電圧又はドレイン電流値の変化を計測することにより、エタノールアミンリン酸を検出するのに好適に用いることができる。すなわち、本発明に係るエタノールアミンリン酸センサは、トランジスタの延長ゲート上に集積させたピリジン金属錯体と検出対象物質との配位結合に基づいて、エタノールアミンリン酸の検出を行うデバイスである。このようなセンサによれば、トランジスタの特性変化によって安定的かつ簡便に検出対象物質のモニタリングを行うことができる。
【００２８】
なお、本発明のエタノールアミンリン酸センサにおいては、必ずしも、特定の参照電極を設ける必要はなく、この場合には、複数の計測値や経時的な計測値等から、検出対象物質の相対的な変化量（差分）を把握することが可能である。また、参照電極を設ける場合には、例えば、銀／塩化銀電極、ＳＡＭ処理した金電極又は高分子で被覆された金属等を用いることが好ましい。このような参照電極を設定すれば、検出対象物質の絶対評価が可能となる。
【００２９】
本発明に係るエタノールアミンリン酸センサが有する電界効果トランジスタは、公知のトランジスタ構造により構成することができ、無機トランジスタでも、有機トランジスタであってもよい。中でも、小型で簡易的に用いることができる薄膜トランジスタ（ＴＦＴ）が好ましく、基板としては、ガラス、セラミックス、金属等の無機材料の他、樹脂、紙等の有機材料等を適用することにより、フレキシブルな形態のセンサを構成することができる。
【００３０】
有機ＴＦＴの場合を用いる場合、基板としては、例えば、ポリエチレンナフタレート、ポリエチレンテレフタレート、ポリエチレン、ポリイミド、ポリパラキシリレン（パリレン（登録商標））等の樹脂、紙等を用いることができる。ゲート電極材料としては、例えば、アルミニウム、銀、金、銅、チタン、酸化インジウム錫（ＩＴＯ）、ｐｏｌｙ（３，４−ｅｔｈｙｌｅｎｅｄｉｏｘｙｔｈｉｏｐｈｅｎｅ）  ｐｏｌｙｓｔｙｒｅｎｅ  ｓｕｌｆｏｎａｔｅ（ＰＥＤＯＴ：ＰＳＳ）等が、ソース・ドレイン電極材料としては、金、銀、銅、白金、アルミニウム、ＰＥＤＯＴ：ＰＳＳ等の導電性高分子が挙げられる。ゲート絶縁膜の構成材料としては、例えば、シリカ、アルミナ、自己組織化単分子膜（ＳＡＭ）、ポリスチレン、ポリビニルフェノール、ポリビニルアルコール、ポリメチルメタクリレート、ポリジメチルシロキサン、ポリシルセスキオキサン、イオン液体、ポリテトラフルオロエチレン（テフロン（登録商標）ＡＦ、サイトップ（登録商標））等が挙げられる。有機半導体の構成材料としては、Ｐ型の場合は、ペンタセン、ジナフトチエノチオフェン、ベンゾチエノベンゾチオフェン（Ｃｎ−ＢＴＢＴ）、ＴＩＰＳペンタセン、ＴＥＳ−ＡＤＴ、ルブレン、Ｐ３ＨＴ、ＰＢＴＴＴ等を用いることができ、Ｎ型の場合は、フラーレン等を用いることができる。封止膜（保護膜）の構成材料としては、ポリテトラフルオロエチレン（テフロン（登録商標）ＡＦ、サイトップ（登録商標））、ポリパラキシリレン（パリレン（登録商標））等が挙げられる。
【００３１】
ＴＦＴの製造方法は、蒸着法、スパッタリング法等のドライプロセスでも、スピンコート、バーコート、スプレーコート等による塗布、スクリーン印刷、グラビアオフセット印刷、凸版反転印刷、インクジェット印刷等の各種印刷機による印刷でもよい。印刷によれば、より効率的に低コストで製造することができる。
【００３２】
また、トランジスタと検出電極である延長ゲートが別個に作製され、使用時にこれらを連結する構成とすることにより、試料と直接接触する延長ゲートのみを寿命に応じて容易に交換して取り付けることができる。これにより、トランジスタは安定した状態での計測が可能である。また、センサ全体を交換する必要がなく、しかも、検出電極は洗浄操作を行うことにより繰り返し利用可能であるため、経済的であるという利点も有している。
【００３３】
（実施の形態）
以下、本発明について、図面を参照して、より詳細に説明する。図１に、本発明に係るエタノールアミンリン酸センサの具体的な構成例を示す。ただし、本発明は該構成例に限定されるものではない。図１に示すエタノールアミンリン酸センサは、トランジスタ１と検出電極２である延長ゲートとから構成されている。
【００３４】
トランジスタ１は、例えば、以下のような工程で製造することができる。まず、ガラス基板１１上にゲート電極１２（アルミニウム（Ａｌ）、膜厚３０ｎｍ）を形成し、その表面に、反応性イオンエッチング（ＲＩＥ）処理により酸化アルミニウム（ＡｌＯｘ）膜を形成する。この基板をテトラデシルホスホン酸溶液に浸漬させ、ゲート絶縁膜１３を形成する。次に、ソース・ドレイン電極１４，１５（金（Ａｕ）、膜厚３０ｎｍ）をパターニング形成する。その後、ディスペンサ装置を用いて撥液性バンク１６（テフロン（登録商標）ＡＦ１６００）を形成し、高分子半導体層１７（ｐＢＴＴＴ−Ｃ１６）をドロップキャスト法で形成する。基板上に、封止膜１８（サイトップ（登録商標）ＣＴＬ−８０９Ｍ）をスピンコート法により形成し、トランジスタ１を作製する。
【００３５】
図２に、エタノールアミンリン酸センサの検出電極２である延長ゲート２３の構成及び機構を示す。具体的には、ガラス基板２１上に金薄膜を形成し、その金表面を、２−（ｂｉｓ(ｐｙｒｉｄｉｎ−２−ｙｌｍｅｔｈｙｌ)ａｍｉｎｏ）ｅｔｈａｎｅ−１−ｔｈｉｏｌを用いてＳＡＭ処理し、亜鉛(II)イオンを配位させたあと、これをトランジスタ１のゲート電極と接続する。
【００３６】
なお、Ａｇ／ＡｇＣｌ電極をエタノールアミンリン酸センサの参照電極２２とする。
【００３７】
この延長ゲート上に、エタノールアミンリン酸を含む液体試料３を滴下すると、エタノールアミンリン酸とピリジン金属錯体とが配位結合する。この配位結合に伴って変化する、トランジスタのしきい値電圧又はドレイン電流値の変化を計測することによって、液体試料中のエタノールアミンリン酸濃度をモニタリングすることができる。
【実施例】
【００３８】
以下、本発明を実施例に基づきさらに具体的に説明するが、本発明は下記の実施例により制限されるものではない。
【００３９】
本発明のエタノールアミンリン酸センサを用いて、エタノールアミンリン酸検出試験を行った。検出試験は、本発明のセンサの検出電極を測定溶液に浸し、検出電極と電気的に接続されたトランジスタの出力特性を、半導体パラメータアナライザで測定した。液体試料には、ｐＨ７．４のＨＥＰＥＳ緩衝食塩水中にエタノールアミンリン酸（０μＭ−２００μＭ）を添加したものを用いた。図３に、エタノールアミンリン酸の添加に伴うドレイン電圧（ＶＤＳ）とドレイン電流の絶対値（|ＩＤＳ|）との関係のグラフを示す。
【００４０】
図３に示したグラフから、エタノールアミンリン酸添加に伴うドレイン電流の変化を確認することができ、エタノールアミンリン酸検出を行うことができることが認められた。なお、図３において、有はエタノールアミンリン酸の添加を意味し、無はエタノールアミンリン酸の添加前を意味する。
【００４１】
図４に、ドレイン電流の変化量とエタノールアミンリン酸（ＥＡＰ）モル濃度の関係を示したグラフを示す。
【００４２】
図４に示したグラフから、エタノールアミンリン酸の濃度変化に伴うドレイン電流の変化を確認することができ、エタノールアミンリン酸濃度変化の検出を行うことができることが認められた。また、応答は数分（５分程度）で飽和に達し、その後の応答は安定していることが確認された。
【符号の説明】
【００４３】
１          トランジスタ
２          検出電極
３          試料液滴
１１，２１  ガラス基板
１２        ゲート電極
１３        ゲート絶縁膜
１４        ソース電極
１５        ドレイン電極
１６        撥液性バンク
１７        高分子半導体層
１８        封止膜
２２        参照電極
２３        延長ゲート電極
【図１】
0006544571.tif 000014
【図２】
0006544571.tif 000015
【図３】
0006544571.tif 000016
【図４】
0006544571.tif 000017